(57)【要約】【課題】携帯電子機器を不用意に落下させても表示ディスプレイにクラックが発生しないように、表示ディスプレイ周辺の強度を保ちながら、外部からの衝撃が直接表示ディスプレイに伝わらないようにする。【解決手段】ＬＣＤ１４（表示ディスプレイ）が嵌め込まれる枠状のディスプレイホルダ１５と、フレーム底面２２及び該フレーム底面２２を囲むフレーム枠２３とを備えた箱形状のマグネシウムフレーム１７（金属フレーム）と、ＬＣＤ１４及びマグネシウムフレーム１７を覆うキャビネット６ａ（ディスプレイ側筐体）とを設ける。ＬＣＤ１４をディスプレイホルダ１５に嵌め込んだ状態で、該ディスプレイホルダ１５と共にマグネシウムフレーム１７のフレーム底面２２に当接させながら該マグネシウムフレーム１７に保持させて、キャビネット６ａの内部に固定する。マグネシウムフレーム１７のフレーム底面２２を中央部が最も低くなるように湾曲した形状を有するものとする。【選択図】図９
2007226285.tif 000002
【特許請求の範囲】
【請求項１】
表示ディスプレイを備えた携帯電子機器において、
板状の上記表示ディスプレイが嵌め込まれる枠状のディスプレイホルダと、
フレーム底面及び該フレーム底面を囲むフレーム枠を備えた箱形状の金属フレームと、
上記表示ディスプレイ及び金属フレームを覆うディスプレイ側筐体とを備え、
上記表示ディスプレイは、上記ディスプレイホルダに嵌め込まれた状態で、該ディスプレイホルダと共に金属フレームの底面に当接しながら該金属フレームに保持された上で、上記ディスプレイ側筐体内部に固定されるように構成され、
上記金属フレームのフレーム底面は、中央部が最も低くなるように湾曲した形状を有する
ことを特徴とする携帯電子機器。
【請求項２】
請求項１に記載の携帯電子機器において、
上記ディスプレイホルダは、裏面側へ突出する複数の係合用爪を備え、
上記金属フレームは、上記係合用爪が挿入される係合用孔を備えている
ことを特徴とする携帯電子機器。
【請求項３】
請求項２に記載の携帯電子機器において、
上記表示ディスプレイが電気的に接続されるディスプレイ用基板は、上記金属フレームの表示ディスプレイと反対側面に、上記ディスプレイホルダの係止用爪によって取り付けられている
ことを特徴とする携帯電子機器。
【請求項４】
請求項１乃至３のいずれか１つに記載の携帯電子機器において、
上記ディスプレイホルダは、樹脂成形品である
ことを特徴とする携帯電子機器。
【請求項５】
請求項１乃至４のいずれか１つに記載の携帯電子機器において、
上記金属フレームは、マグネシウムフレームで構成されている
ことを特徴とする携帯電子機器。
【請求項６】
請求項１乃至５のいずれか１つに記載の携帯電子機器において、
携帯電子機器である
ことを特徴とする携帯電子機器。
【発明の詳細な説明】
【技術分野】
【０００１】
本発明は、携帯電子機器のディスプレイの支持構造に関する。
【背景技術】
【０００２】
携帯電話機は、電話通信、メール通信、カメラ撮影、ＴＶ視聴、音楽聴取等の便利さが浸透し、外出するときには携帯するのが一般的となってきている。
【０００３】
外出して携帯電話機を取り出す際に、不用意に地面に落下させることがある。落下させれば、樹脂成形品である携帯電話機の筐体に傷やひびが入ったり、筐体に設けられたディスプレイの表面に傷やクラックが発生したり、電気的に故障したりする場合がある。
【０００４】
ユーザは、このように携帯電話機を落下させて電気的に故障すると、新しく買換えなくてはならないし、傷が発生すると、見映えが悪くなって不快な気持ちになる。
【０００５】
これらを対策するものとして、例えば、特許文献１では、熱可塑性樹脂からなり液晶を固定保持する液晶ホルダと、弾性材料からなり液晶ホルダの周囲を覆う弾性部材とを具備し、液晶ホルダは基板を位置決めする位置決めボスで構成され、弾性部材はホルダを基板に係止するための係止爪と、液晶を保持固定する液晶保持固定爪と、液晶をガタ止めする液晶ガタ止めリブとで構成された多色成形型液晶ホルダが開示されている。
【０００６】
例えば、特許文献２では、ホルダは回路基板を両端から挟み込む固定突起を有すると共に、筐体はその内側に前記固定突起の外側に当接する内壁リブを有する電子機器が開示されている。この電子機器では、筐体外側からの衝撃力をＬＣＤ本体に伝わる前にホルダの固定突起から回路基板側に逃がすことができ、ホルダ上部のＬＣＤ本体への影響を最小限に抑えることができる。
【特許文献１】特開２００１−２６４７３２号公報
【特許文献２】特開２００２−２８７１１６号公報
【発明の開示】
【発明が解決しようとする課題】
【０００７】
しかしながら、特許文献１の発明では、少ない部品点数で、運搬時における変形や破損防止、携帯端末機筐体とセット状態における落下衝撃等によるホルダ及び爪の変形や破損の防止、液晶破損防止を行うとしているものの、液晶とホルダとが密着した構造になっている。
【０００８】
特許文献２の発明では、ホルダとＬＣＤ本体の側部との間に隙間を設け、筐体外側からの衝撃力がホルダを介して直接伝わるのを防止して、ＬＣＤ本体への影響を抑えることができるとしているものの、上記特許文献１と同様に液晶とホルダとが密着した構造になっている。
【０００９】
ところで、近年、携帯電話機の軽量化や薄型化のために、ホルダやフレームは金属フレームで構成されている。例えば、マグネシウムダイキャストであるＡＺ９１Ｄ（主として、Ａｌ  ９％，Ｚｎ  １％，残りＭｇの合金）が金属フレームとして良く用いられている。このような剛性の高い金属フレームに表示ディスプレイを嵌め込むことで、落下時等に筐体、ディスプレイ用基板や表示ディスプレイの損傷を防ぐことが行われている。
【００１０】
一方で、従来のように表示ディスプレイを密着させて保持させると、落下などが起きた場合、その衝撃を負担する金属フレームから表示ディスプレイに衝撃が伝わりすぎて表示ディスプレイが破壊するおそれがある。
【００１１】
本発明は、かかる点に鑑みてなされたものであり、その目的とするところは、携帯電子機器を不用意に落下させても表示ディスプレイにクラックが発生しないように、表示ディスプレイ周辺の強度を保ちながら、外部からの衝撃が直接表示ディスプレイに伝わらないようにすることにある。
【課題を解決するための手段】
【００１２】
上記の目的を達成するために、この発明では、表示ディスプレイが当接する金属フレームの底面の形状を湾曲した形状とした。
【００１３】
具体的には、第１の発明では、表示ディスプレイを備えた携帯電子機器において、
板状の上記表示ディスプレイが嵌め込まれる枠状のディスプレイホルダと、
フレーム底面及び該フレーム底面を囲むフレーム枠を備えた箱形状の金属フレームと、
上記表示ディスプレイ及び金属フレームを覆うディスプレイ側筐体とを備え、
上記表示ディスプレイは、上記ディスプレイホルダに嵌め込まれた状態で、該ディスプレイホルダと共に金属フレームの底面に当接しながら該金属フレームに保持された上で、上記ディスプレイ側筐体内部に固定されるように構成され、
上記金属フレームのフレーム底面は、中央部が最も低くなるように湾曲した形状を有する。
【００１４】
上記の構成によると、ディスプレイ側筐体には、剛性の高い金属フレームが設けられているため、落下等の衝撃が加わった際には、筐体や液晶側基板等が保護される。一方、金属フレームのフレーム底面は、中央部が最も低くなるように湾曲した形状を有するので、ガラス等の透明な部材で覆われた衝撃に弱い表示ディスプレイの中央部と金属フレームとが直接接触せず、携帯電子機器が落下した際の衝撃は、金属フレームから表示ディスプレイに伝わりにくい。したがって、携帯電子機器を不用意に落下させても、表示ディスプレイにクラックが発生するのが防止される。
【００１５】
第２の発明では、上記ディスプレイホルダは、裏面側へ突出する複数の係合用爪を備え、
上記金属フレームは、上記係合用爪が挿入される係合用孔を備えている。
【００１６】
上記の構成によると、ディスプレイホルダの係合用爪を金属フレームの係合用孔に挿入することで、ディスプレイホルダが金属フレームに堅固に組み付けられ、落下の衝撃でディスプレイホルダが金属フレームから外れることはない。
【００１７】
第３の発明では、上記表示ディスプレイが電気的に接続されるディスプレイ用基板は、上記金属フレームの表示ディスプレイと反対側面に、上記ディスプレイホルダの係止用爪によって取り付けられている。
【００１８】
上記の構成によると、ディスプレイ用基板は、ディスプレイホルダの係止用爪によって、該ディスプレイホルダと共に金属フレームに容易に取り付けられる。ディスプレイ用基板は、剛性の高い金属フレームで守られているので、落下の衝撃で電気的に故障するのが防止される。
【００１９】
第４の発明では、上記ディスプレイホルダは、樹脂成形品とする。
【００２０】
上記の構成によると、樹脂成形品は、金属フレームに比べて剛性が低くて撓みやすく、落下等の衝撃を受けた場合でも、金属フレームからの衝撃を吸収しやすいので、表示ディスプレイの損傷が防止される。
【００２１】
第５の発明では、上記金属フレームは、マグネシウムフレームで構成されている。
【００２２】
上記の構成によると、マグネシウムフレームは、軽量で剛性が高いので、薄型に成形でき、携帯する必要性のある携帯電子機器の金属フレームとして適している。
【００２３】
第６の発明では、携帯電子機器は、携帯電話機とする。
【００２４】
上記の構成によると、軽量で薄型化が要求されると共に、携帯する頻度の多い携帯電話機は、意図せず落下させてしまう場面が多いが、本発明により、落下等の衝撃に強い薄型の携帯電話機が得られる。
【発明の効果】
【００２５】
以上説明したように、板状の表示ディスプレイをディスプレイホルダに嵌め込んだ状態で、金属フレームにおける、中央部が最も低くなるように湾曲したフレーム底面に当接させた上で液晶側筐体内部に固定することにより、表示ディスプレイ周辺の強度を保ちながら、外部からの衝撃が直接表示ディスプレイに伝わらないようにしている。このため、携帯電子機器を不用意に落下させても、表示ディスプレイにクラックが発生しないので、落下等の衝撃に強い携帯電子機器が得られる。
【発明を実施するための最良の形態】
【００２６】
以下、本発明の実施形態を図面に基づいて説明する。
【００２７】
図１は、本発明の実施形態に係る携帯用電子機器としての携帯電話機１の開いた状態を右方向から見た斜視図である。図２は、図１の閉じた状態を右方向から見た斜視図である。
【００２８】
図１及び図２に示すように、本実施形態の携帯電話機１は、ディスプレイ側筐体としての第１の筐体２と、第２の筐体３とを有し、これらがヒンジ部４によって折り畳自在に結合されている。また、第１の筐体２には、回転機構５が設けられ、この回転機構５により、略矩形板状の液晶表示部６が縦長状態と横長状態とに切換操作可能に支持されている。この液晶表示部６の表面側にＬＣＤ１４、受話部７等が設けられ、裏面側にはサブ表示部１１が設けられている。
【００２９】
上記第２の筐体３の表面側には、送話部８、入力ボタン９、機能ボタン１０等が設けられている。
【００３０】
そして、電話やメールするときには図１のように開いた状態で行い、電話やメールが終われば図２のように閉じた状態で待機し、着信があればサブ表示部１１に着信があったことを知らせる表示が出るようになっている。
【００３１】
また、ＴＶを見たり、メールを横長状態で行いたいときは、図示しないが、液晶表示部６を回転機構５によって横長状態に回転して行うようになっている。
【００３２】
図３は、液晶表示部の金属フレームとしてのマグネシウムフレームを示す斜視図である。図４は、図３の平面図である。
【００３３】
第１の筐体２における液晶表示部６は、樹脂製のキャビネット６ａで覆われている。このキャビネット６ａの内部には、マグネシウムフレーム１７が嵌め込まれている（図７参照）。
【００３４】
図３及び図４に示すように、マグネシウムフレーム１７は、略矩形板状に形成され、フレーム底面２２と、このフレーム底面２２を囲むフレーム枠２３とを備えている。このように箱形構造とすることで、フレーム（構造体）としての強度を確保している。マグネシウムフレーム１７は、例えば、カメラ（図示せず）を位置決めするカメラ窓２６、ビス挿通孔２７、ディスプレイホルダ１５を固定するための係合用孔２８、後述する信号線を通す信号線貫通孔２９，３０、ストロボ（図示せず）の位置決めするストロボ窓孔３１、受話部の音声を通す受話部孔３２等を備えている。マグネシウムフレーム１７は、例えば、マグネシウムダイキャストであるＡＺ９１Ｄよりなる。
【００３５】
図５は、図４のＶ−Ｖ線断面図である。図６は、図４のVI−VI線断面図である。図７は、液晶表示部６の分解斜視図である。図８は、図１のVIII−VIII線断面図である。図９は、図８のIX部拡大断面図である。
【００３６】
図５及び図６に示すように、マグネシウムフレーム１７のフレーム底面２２は、中央が最も低くなるように湾曲している。
【００３７】
図７に示すように、矩形板状の表示ディスプレイとしてのＬＣＤ１４は、表面がガラス等の透明な部材で覆われ、比較的衝撃に弱いものとなっている。ＬＣＤ１４は、矩形枠状の樹脂製ディスプレイホルダ１５に嵌め込まれた状態でマグネシウムフレーム１７に保持されている。その状態で、キャビネット６ａの内部に嵌め込まれている。
【００３８】
ディスプレイホルダ１５は、樹脂成形品よりなり、その側面から例えば４本の係止用爪２０が突出するように設けられている。ＬＣＤ１４が電気的に接続されるディスプレイ用基板としてのＬＣＤ基板１６は、マグネシウムフレーム１７のＬＣＤ１４と反対側面に、ディスプレイホルダ１５の係止用爪２０によって取り付けられている。
【００３９】
図８及び図９に示すように、ディスプレイホルダ１５は、その裏面でフレーム底面２２と接触しているが、ＬＣＤ１４の中央部は、一切、フレーム底面２２には接触せず、その周縁のみがフレーム底面２２に当接している。
【００４０】
−液晶表示部の組立手順−
次に、液晶表示部６の組立手順について説明すると、図７に示すように、まず、ＬＣＤ１４をディスプレイホルダ１５に組み込む。
【００４１】
次いで、ディスプレイホルダ１５の４つの係止用爪２０をマグネシウムフレーム１７の４つの係合用孔２８に挿入して、ディスプレイホルダ１５の固定と位置決めとを行う。
【００４２】
次いで、ＬＣＤ基板１６をマグネシウムフレーム１７の裏面側から取り付ける。このとき、ＬＣＤ１４から延びる信号線１９をマグネシウムフレーム１７の信号線貫通孔２９を通してＬＣＤ基板１６に接続する。ディスプレイホルダ１５の４つの係止用爪２０でＬＣＤ基板１６をマグネシウムフレーム１７と共に嵌合させることで、ディスプレイホルダ１５とＬＣＤ基板１６とをマグネシウムフレーム１７に固定する。
【００４３】
最後に、ＬＣＤ１４、ディスプレイホルダ１５、ＬＣＤ基板１６及びマグネシウムフレーム１７を組み込んだものを液晶表示部６のキャビネット６ａに嵌め込み、マグネシウムフレーム１７のビス挿通孔２７にビス（図示せず）を挿通させてフレーム取付用ボス１８にビス止めし、透明なディスプレイカバー１３を貼り付ける。
【００４４】
−実施形態の効果−
このように、本実施形態にかかる携帯電話機１によると、板状のＬＣＤ１４をディスプレイホルダ１５に嵌め込んだ状態で、マグネシウムフレーム１７における、中央部が最も低くなるように湾曲したフレーム底面２２に当接させた上でキャビネット６ａ内部に固定することにより、ＬＣＤ１４周辺の強度を保ちながら、外部からの衝撃が直接ＬＣＤ１４に伝わらないようにしている。このため、携帯電話機１を不用意に落下させても、その衝撃がまずＬＣＤ１４の周縁に伝わるようにすることで、中央部に衝撃が入ってＬＣＤ１４を構成するガラスが割れるのを防ぐことができる。したがって、第１の筐体２（液晶表示部６）全体の厚味を薄く保ちながら、落下等の衝撃に強い携帯電話機１が得られる。
【００４５】
（その他の実施形態）
本発明は、上記実施形態について、以下のような構成としてもよい。
【００４６】
すなわち、上記実施形態では、図５及び図６のいずれの断面においても、マグネシウムフレーム１７のフレーム底面２２は、中央が最も低くなるように湾曲しているものとしたが、図５又は図６のいずれか一方のみの断面において、フレーム底面２２の中央が最も低くなるように湾曲させてもよい。要は、ＬＣＤ１４の中央部とフレーム底面２２とが直接接触しなければよい。
【００４７】
上記実施形態では、ＬＣＤ１４の例を示したが、表示部６は、有機ＥＬ表示ディスプレイを備えていてもよい。
【００４８】
上記実施形態では、回転機構５を設けて第１の筐体２を縦長状態から横長状態に回転可能としているが、回転機構５を設けなくてもよい。また、ヒンジ部４を設けて第１の筐体２と第２の筐体３とを折り畳み自在に結合しているが、ストレートタイプの携帯電話機であってもよい。
【００４９】
上記実施形態では、携帯電子機器のうち、特に携帯電話機としたが、ＰＨＳ、ＰＣ、モバイルツール、電子辞書、電卓、複写機等でもよい。
【００５０】
なお、以上の実施形態は、本質的に好ましい例示であって、本発明、その適用物や用途の範囲を制限することを意図するものではない。
【産業上の利用可能性】
【００５１】
以上説明したように、本発明は、表示ディスプレイを備えた携帯電話機などの携帯電子機器について有用である。
【図面の簡単な説明】
【００５２】
【図１】本発明の実施形態に係る携帯電話機の開いた状態を右方向から見た斜視図である。
【図２】図１の閉じた状態を右方向から見た斜視図である。
【図３】マグネシウムフレームを示す斜視図である。
【図４】図３の平面図である。
【図５】図４のＶ−Ｖ線断面図である。
【図６】図４のVI−VI線断面図である。
【図７】液晶表示部の分解斜視図である。
【図８】図１のVIII−VIII線断面図である。
【図９】図８のIX部拡大断面図である。
【符号の説明】
【００５３】
１      携帯電話機（携帯電子機器）
２      第１の筐体（ディスプレイ側筐体）
１４      ＬＣＤ（表示ディスプレイ）
１５      ディスプレイホルダ
１６      ＬＣＤ基板（ディスプレイ用基板）
１７      マグネシウムフレーム（金属フレーム）
２０      係止用爪
２２      フレーム底面
２３      フレーム枠
２８      係合用孔
【図１】
2007226285.tif 000003
【図２】
2007226285.tif 000004
【図３】
2007226285.tif 000005
【図４】
2007226285.tif 000006
【図５】
2007226285.tif 000007
【図６】
2007226285.tif 000008
【図７】
2007226285.tif 000009
【図８】
2007226285.tif 000010
【図９】
2007226285.tif 000011